(57)【要約】【課題】木造建築物の土台や柱等に白蟻等の害虫が住み着かないように防いだり、駆除したりするのに完全防護服などの重装備をせずに、施工作業を短時間で手間の掛からない作業にする。【解決手段】注入具１を釘状のものにし、その頭部２を瓶の口にはめ込む栓となる高さのある形状にして縦方向の貫通孔３を設ける。そして、頭部２から設けている打込み軸部４には、貫通孔３とつながる中空部５を設ける。この中空部５の内側からから外に向けた孔６を設け、その打込み軸部４の先端は尖らせた先端部７にする。この注入具１を土台や柱に打ち込み、頭部２と薬剤容器８の開口部９とを連結して薬液を木材に浸透させる。樹木の害虫駆除として使用するものは、分岐管１５とホース１７とを設けたものとしている。【選択図】　　　　　図１
2004057197.tif 000002
【特許請求の範囲】
【請求項１】
防除薬液を入れた薬剤容器（８）の開口部（９）と着脱可能に連結する注入具（１）の頭部（２）より先端部（７）を尖らせた硬質の管体による打込み軸部（４）を設け、その頭部（２）には打込み軸部（４）の中空部（５）と薬剤容器（８）とにつながる貫通孔（３）を設け、打込み軸部（４）には中空部（５）から外につながる孔（６）を少なくとも一個設けたことを特徴とする防除薬液注入具。
【請求項２】
打込み軸部（４）に螺旋部（１０）を設けて、木ねじ状としたものである請求項１記載の防除薬液注入具。
【請求項３】
頭部（２）及び貫通孔（３）に設けている薬液の流通路に、横方向へ突出する分岐管（１５）を接続し、その分岐管（１５）より散布孔（１６）を複数設けた柔軟性のあるホース（１７）を設けたことを特徴とする防除薬液注入具。
【発明の詳細な説明】
【０００１】
【発明の属する技術分野】
この発明は、木造建築物の土台や柱等に、白蟻等の害虫が住み着かないように防いだり駆除したりする防除薬液を、木材にしみ込ませる注入具に関するものである。
【０００２】
【従来の技術】
従来、白蟻等の害虫の防除方法としては、床下への薬剤の散布や塗布による方法（例えば特許文献１参照）があった。また、薬剤保持シートを土壌に敷きつめる方法（例えば特許文献２）もあった。
【０００３】
【特許文献１】
特公平２−９７７６号公報（請求項、第１図）
【特許文献２】
特公平７−５７１９４公報（第３−４頁）
【０００４】
【発明が解決しようとする課題】
床下への薬剤の散布や塗布による方法では、床下内に完全防護服と手袋と防毒マスク等の装備をして人が入り、土壌処理を行ったり、土台や柱等の木材に薬剤を塗布したり散布したりする施工に手間の掛かるものであった。
また、薬剤保持シートを土壌に敷きつめる方法では、シート間の継ぎ目や破損箇所などの僅かな隙間から白蟻等が侵入して被害を与えることから、シートの施工時には細心の注意と労力とが掛かる欠点があった。
本発明が解決しようとする課題は、床下に入ってからの施工作業を短時間で手間が掛からず、労力も軽いものとなる作業にすることである。
【０００５】
【課題を解決するための手段】
本発明は、床下の土台や柱等に釘を打ち込むようにして施工が容易であり、薬剤容器の装着や防除薬液の補充も瓶の口に栓を抜いたりはめ込んだりするのと同じようにすることで、施工が出来る手段としているものである。
すなわち、本発明の注入具１は、釘状のものであって、その頭部２を瓶の口にはめ込む栓となる高さのある形状としていて、縦方向に貫通孔３を設けたものとしている。
そして、頭部２から設けている打込み軸部４には、頭部２の貫通孔３とつながる中空部５を設けた管状のものとしている。この打込み軸部４には、中空部５から外に向けた孔６を少なくとも一個設けたものとしていて、先端部７を尖らせたものとしている。
【０００６】
このような注入具１を使用するときには、木材の土台や柱に釘を打ち込むのと同じようにして頭部２を木槌でたたいて先端部７から打込み軸部４を木材に打ち込み、薬剤容器８の開口部９と打ち込まれた頭部２とをはめ込んで、薬剤容器８を注入具１に連結するものとしている。
連結を済ませると、薬剤容器８の防除薬液は、貫通孔３を通って中空部５へと重力によって流れ、孔６から木材の中へと浸透していくものとしている。
【０００７】
【発明の実施の形態】
本発明に係わる実施の形態の一つとしては、図１に示すように、注入具１は頭部２と打込み軸部４とから構成されている。
この頭部２は、薬剤容器８を下に向けた開口部９の内側に差し込み、瓶に栓をはめ込むようにして着脱自在に連結させるものとしていて、その縦方向には貫通孔３を設けている。
頭部２としては、テーパーを付けた円錐台形の栓状とした頭部２の他に、螺旋を切ってねじ込みによって連結させる頭部２とすることも考えられる。
頭部２から設ける打込み軸部４は、中空部５を形成する管状であって、頭部２の貫通孔３とつながっていて、その先端部７を尖ったものとしている。
そして、この中空部５から外に通じる孔６を少なくとも一個設けた打込み軸部４としている。
【０００８】
この打込み軸部４としては、その先端部７を複数本に増やして広い範囲に薬液を浸透させることが考えられ、打込み軸部４の形状を角柱やだ円柱などにすることや円柱形等の先端側をつぶして平たくすることによって打込み軸部４の太さよりも幅の広い先端側としたものなど、様々に変形させることが出来るものとしている。この先端側をつぶした打込み軸部４は、木材等に打ち込んで進んで行くときに、打込み軸部４の太さよりも突出した部分にスリットが出来て薬液の流れ道を作ることが出来るものになり、このスリットに沿って流れる薬液が木材の表面にまで広く浸透させることが出来るものになる。
また、　先端部７には、中空部５につながる先端孔１１を設けているが、この先端孔１１を塞いだものとすることも考えられる。
打込み軸部４に設ける孔６としては、その数を多くしたり長孔やスリットにしたりするなどのことが考えられる。
注入具１を打ち込む間隔は、それぞれの状況によって適当に決めることができるものであり、１メートルから５０センチメートル位の間隔に一本を打ち込むことで良い効果が得られるものである。
【０００９】
また、他の実施の形態としては、図２に示すように、打込み軸部４をねじのような螺旋付きのものとし、中空部５と孔６とを設けたものとしている。
そして、頭部２としては、図２に示すような木ねじの頭に設けているマイナスやプラスの溝１２を設けたり、図３に示すようなスパナで回し込むことが出来る角柱部１３を設けたり、様々な形状にすることが出来るものとしている。
【００１０】
薬剤容器８の開口部９と注入具１の頭部２との密栓に関しては、円錐台形による栓と開口部との差し込みや、キャップを開口部にねじ込む雄ねじと雌ねじとによる螺子締めが考えられる。
図４に示すものは、頭部２に鍔部１４を設けてその上にパッキンを挟んで漏れを防ぐものとしている。
【００１１】
樹木の害虫や松喰い虫などを駆除することに使用するものとしては、図６に示すものが考えられる。
図６に示すものは、頭部２から横方向に突出した分岐管１５を設けていて、貫通孔３とつながったものとしている。
そして、ゴムやプラスチック等による柔軟なホース１７の胴部分に小さな孔を複数設けて散布孔１６とし、そのホース１７の一端には薬液が外に出ないための止め部１８を設けていて、他端を注入具１の分岐管１５に嵌着させたものとしている。この頭部２から設けた分岐管１５は打ち込み軸部４から設けても良い。
このホース１７を設けた注入具１を使用するときには、樹木に打ち込み軸部４を打ち込んでからホース１７を樹木に一回り巻き付け、そのホース１７の止め部１８のある先端側を分岐管１５の上に載せて掛け止めるものとしている。
このとき、ホース１７の胴部分に設けた小さな孔の散布孔１６は、樹木に向けて巻き付けるものである。
このホース１７としては、その長さを一回りと決めず二回りや三回りでもよいもので、止め部１８のところからフックやクリップ等の掛け止め具を設けることが考えられ、樹木への巻き付けを容易にすることができるものとなる。
また、止め部１８に打ち込み軸部４を設けることや、ホース１７の胴部分に設けている散布孔１６に針や釘などを設けて樹木に打ち付けることも考えられ、その針や釘の軸を中空としたものにしてもよい。
ホース１７の散布孔１６からの薬液は、少しづつ出て樹木の表面から皮へと浸透して行き、害虫の付着や侵入を防ぐことが出来るものである。
【００１２】
本発明に係わる注入具１を土台や柱に打ち込むときには、おおよそ垂直に打つか斜めに傾けて打ち込むものであって、真横や下から上に向けて打ち込むことは避けるべきものである。これは、薬液の重力による流れを利用したものであるから当然のことである。
注入具１の打ち込みは、建築中に施工したり建築後や数年経った後から施工したりすることが出来るもので、床下に入って打ち込むことが困難な状態の柱や土台等の場合には外壁に孔を設けて打込み軸部４の長い注入具１を外がら打ち込むことが出来るものである。
打ち込むときの注意としては、金属の金槌で頭部２を叩くと頭部２が変形して薬液容器８の開口部９との蜜栓が出来なくなり、漏れが多くなる支障を来すものであるから、当て木をして打ち込む注意が必要である。
したがって、木槌やプラスチック製のハンマーを使用することが必要である。
それから、土台や柱に打ち込んである注入具１から空になった薬剤容器８を取り外し、薬液の入った薬剤容器８を頭部２にはめ込むときには、開口部９を下向きにするため薬液が流れ出ている状態ではめ込むことになり、手や作業服を汚してしまうことになる。
これでは薬剤容器８の交換が面倒となるので、はめ込む前の開口部９をアルミ泊やラップフィルムなどで一時的に塞ぎ、頭部２にはめ込んだ時点で塞いだ泊やフィルムが破れるものにすれば、交換が容易となる。
薬剤容器８を製造するときに、最初から破れ易い泊やフィルムを開口部９に設けて置くことで、取り扱いの良いものになるものである。
【００１３】
【発明の効果】
本発明に係わる防除薬液注入具を使用するときには、完全防護服と手袋と防毒マスク等の装備を厳重にすることが緩和され、散布や塗布等の手間の掛かる施工が薬剤容器８の抜き取りとはめ込みとによる交換作業のため、短時間で手間が掛からず、軽い労力で施工を完了させることができる。
木造建築物の土台や柱に住む白蟻等の害虫を防いだり駆除したりするほかに、木の腐敗などを防ぐ薬液や、松喰い虫などの生樹の害虫の駆除などの薬液を使用することが出来、注入具１を地表から差し込んで土中に巣を作る蟻や害虫などを駆除することに使用するなど様々なものに利用することが考えられる。
【図面の簡単な説明】
【図１】本発明に係わる防除薬液注入具の実施の形態を示す斜視図である。
【図２】本発明に係わる防除薬液注入具の他の実施の形態を示す斜視図である。
【図３】注入具の頭部に角柱部を設けた頭部を示す斜視図である。
【図４】注入具の頭部にパッキンを挟む鍔部を設けた頭部を示す斜視図である。
【図５】土台や柱に注入具を打ち込んだ使用状態を示す側面図である。
【図６】頭部に分岐管を設けてホースを嵌着した注入具を示す斜視図である。
【符号の説明】
１　注入具
２　頭部
３　貫通孔
４　打込み軸部
５　中空部
６　孔
７　先端部
８　薬剤容器
９　開口部
１０　螺旋部
１１　先端孔
１２　溝
１３　角柱部
１４　鍔部
１５　分岐管
１６　散布孔
１７　ホース
１８　止め部
【図１】
2004057197.tif 000003
【図２】
2004057197.tif 000004
【図３】
2004057197.tif 000005
【図４】
2004057197.tif 000006
【図５】
2004057197.tif 000007
【図６】
2004057197.tif 000008